(57)【要約】  収束する通路（１２８）を有するベース（１２０）と、ベースによって保持される弾性変形可能なロック挿入部材（１４０）とを有するコードロック装置（１００）を開示する。ロック挿入部材は、通路の側壁（１２４）と略平行な左右の足部（１４６）を有するループを構成し、この間においてコード（１０２）を支持する。ロック挿入部材が変形していないとき、コードは、挿入部材の足部とベースの側壁との間で締め付けられて係合する。使用者がループを上方に引張り、挿入部材を弾性変形させると、足部が内側に回動してコードを解除する。挿入部材は、通路内の限られた領域で縦方向に摺動する。歯（１２３、１４３）は、ロック挿入部材及び／又はベースに設けられており、コードとより確実に係合する。【選択図】      図１
2007500835.tif 000002
【特許請求の範囲】
【請求項１】
左右の側面を有して収束する通路を構成するベースと、
ベースの通路内で固定保持される下端部分と、前記下端部分に装着される下端部及び、前記通路の外側に延びる上端部を有する弾性変形可能な左アームであって、前記通路の左側面と略平行である左アームと、前記下端部分に装着される下端部及び、前記通路の外側に延びる上端部を有する弾性変形可能な右アームであって、前記通路の右側面と略平行である右アームと、前記左アームの上端部及び前記右アームの上端部を連結する変形可能な横断部分とを有するロック挿入部材と、
前記通路の左側面及び前記ロック挿入部材の左アーム間に配置された第１の部分と、前記通路の右側面及び前記ロック挿入部材の右アーム間に配置された第２の部分を有するコードとを備え、
ロック挿入部材の横断部分をベースに対して上方に引っ張ることにより、ロック挿入部材の左右のアームが内側に弾性変形することを特徴とするコードロック装置。
【請求項２】
前記ロック挿入部材の前記左アーム及び前記右アームは、外側に向かって配置された歯を有していることを特徴とする請求項１に記載のコードロック装置。
【請求項３】
前記通路の前記左側面及び前記右側面は、内側に向かって配置された歯を有していることを特徴とする請求項１に記載のコードロック装置。
【請求項４】
前記ロック挿入部材は、一体的に形成されていることを特徴とする請求項１に記載のコードロック装置。
【請求項５】
前記ロック挿入部材がプラスチックで形成されていることを特徴とする請求項１に記載のコードロック装置。
【請求項６】
前記ロック挿入部材は、
前記下側部分に配置されたエンドストッパと、
前記左アーム及び前記右アームのうち少なくとも一方の上端部に配置された取り付け部とを有しており、
前記ロック挿入部材は、前記エンドストッパが前記ベースと係合する第１の位置と、前記取り付け部が前記ベースと係合する第２の位置との間で移動可能であることを特徴とする請求項１に記載のコードロック装置。
【請求項７】
前記第１及び第２の位置間の距離は、略２ｍｍから略６ｍｍの範囲内であることを特徴とする請求項６に記載のコードロック装置。
【請求項８】
前記ベースは、該ベースから前方に延び、該ベースを下側に押し下げるのを容易にする突起部を有することを特徴とする請求項１に記載のコードロック装置。
【請求項９】
前記ベースは、取り付けフランジを有することを特徴とする請求項１に記載のコードロック装置。
【請求項１０】
前記取り付けフランジに固定される舌引張りループを有することを特徴とする請求項９に記載のコードロック装置。
【請求項１１】
前記横断部分は、対向して配置され、外側に向かって延びる肘部を有することを特徴とする請求項１に記載のコードロック装置。
【請求項１２】
左側面及び右側面を有して収束する通路を構成するベースと、
前記ベースの通路内に配置されたテーパ部分と、ベースの外側に向かって延びる上側部分と、左通路を構成する前記ベースの通路の左側面と略平行に配置された左アームと、右通路を構成する前記ベースの通路の右側面と略平行に配置された右アームとを有する弾性変形可能なループを構成し、前記ベースに係合する保持部分を有するロック挿入部材と、
前記右通路内に配置された右部分と、前記左通路内に配置された左部分とを有するコードとを備え、
前記左通路は、前記ロック挿入部材が弾性変形したときに、前記コードの左部分と係合する大きさで形成されていることを特徴とするコードロック装置。
【請求項１３】
前記ループの左アーム及び右アームは、外側に向かって配置された歯を有することを特徴とする請求項１２に記載のコードロック装置。
【請求項１４】
前記左通路及び前記右通路は、内側に向かって配置された歯を有することを特徴とする請求項１３に記載のコードロック装置。
【請求項１５】
前記ロック挿入部材は、一体的に形成されていることを特徴とする請求項１２に記載のコードロック装置。
【請求項１６】
前記ロック挿入部材がプラスチックで形成されていることを特徴とする請求項１５に記載のコードロック装置。
【請求項１７】
前記ロック挿入部材の前記保持部分が、前記ロープの底部に配置されたエンドストッパを有するとともに、前記ロック挿入部材が、前記ループの上側部分に配置された取り付け部を構成しており、
前記ロック挿入部材は、前記エンドストッパが前記ベースと係合する第１の位置と、前記取り付け部が前記ベースと係合する第２の位置との間で移動可能であることを特徴とする請求項１２に記載のコードロック装置。
【請求項１８】
前記第１及び第２の位置間の距離は、略２ｍｍから略６ｍｍの範囲内であることを特徴とする請求項１７に記載のコードロック装置。
【請求項１９】
前記ベースは、該ベースから前方に延び、該ベースを下側に押し込むことを容易とする突起部を有することを特徴とする請求項１２に記載のコードロック装置。
【請求項２０】
前記ベースは、取り付けフランジを有することを特徴とする請求項１２に記載のコードロック装置。
【請求項２１】
前記ベースは、舌引張りループを有することを特徴とする請求項２０に記載のコードロック装置。
【請求項２２】
前記ループは、対向して配置され、外側に向かって延びる肘部を構成するハット形状の上側部分を有することを特徴とする請求項１２に記載のコードロック装置。
【発明の詳細な説明】
【技術分野】
【０００１】
本発明は、コードを開放可能に保持するためのコード締め具に関するものであり、特に、コードやレースを引張り状態で保持するためのコードロックに関するものである。
【背景技術】
【０００２】
従来、一般的な引張り構造又はギャザー構造によってコードやレースを開放可能に保持するためのコードロック装置が知られている。例えば、コードロック装置は、しばしば、バッグを閉じるための絞り紐を有する布地のバッグで用いられている。コードロックは、閉じ位置において絞り紐を保持したりロックしたりする機能を有する。このようなコードロック装置は、例えば、キャンプや他のアウトドア活動のための道具バッグ等で一般的に用いられている。また、コードロック装置は、靴、ブーツ及びブーツ挿入物のためのレースシステムに用いられている。レースシステムにおいて、使用者はレースやコードを上方に端に引っ張ることにより、レースを素早く締め付けて所望の緊張状態とすることができる。そして、コードロック装置をコード上で下側に摺動させることによりコードを固定し、コードの引張りを維持することができる。
【０００３】
多くの従来のコードロック装置では、硬い楔形状の部材が、コードを支持して収束する通路内に配置されている。例えば、Dunnが提案した米国特許第１９８，０８６号では、バッグのファスナーが開示されている。ここで、硬い楔は、ケースや包装体内に配置されて付勢されており、ケース及び楔間に配置されたコードが、この間においてスプリングの付勢力によって挟まれるようになっている。コードを開放するためには、使用者は、硬い楔をスプリングの付勢力に抗して引き上げ、ケース内で楔を摺動させることにより、楔の両側面がケースの両側面から離れてコードが開放される。しかしながら、開示された装置は、はめ込まれたスプリングが必要となって比較的複雑であり、比較的高価な硬い部材を用いる必要がある。
【０００４】
また、２つの側壁間に配置された略楔形状の装置の水平方向の移動に依存する他の装置が提案されている。例えば、Boden等が提案した米国特許第５，８９４，６３９号では、Dunnと同じ主要部に基づくコードロック装置が開示されている。ここで、スプリング部材は、楔又は摺動部材と一体的に形成されている。米国特許第４，１５６，５７４号において、Bodenは同様の装置を開示している。ここで、摺動部材の先端にある一対の細長いアームは、コードの移動を介して摺動部材に付勢力を与えている。同様の装置が、Vartija等が提案した米国特許第５，２８０，８３４号や、Tuckerが提案した米国特許第５，９８７，７１２号に開示されている。従来のこれらの装置では、これらの意図した機能が発揮されるようであるが、収束する通路等において、硬く略楔形状の部材を縦方向に移動させることにより、これらの間に配置されたコードを係合させたり、開放させたりしている。
【０００５】
他のコードロック装置が知られている。この装置では、使用者は、コードロックを解除するために、両側からコードロックを、付勢された保持部材とともにつかんだり、つまんだりしなくてはならない。このようなコードロックでは、使用者が親指と指で装置をつままなければならないといった、不具合があるため、ある程度の器用さが必要となる。この必要とされる器用さは、例えば、使用者の手が冷たかったり、グローブを着けていたり、コードロック自体が雪で覆われていたりするスノースポーツの用途において、特に問題がある。
【０００６】
このため、最低限の手の器用さが必要とされ、使用者が１つの指で係合を解除できる比較的単純なコードロック装置を提供する必要がある。
【発明の開示】
【課題を解決するための手段】
【０００７】
本発明は、１つの指を用いてコードロックの一部を単に上方に引くことにより、ロックを容易に解除することができるコードロック装置を提供することにある。このコードロック装置は、収束する通路を有するベースを有している。通路は、左側壁及び右側壁を有し、これらの側壁は、内側に配置された歯を有していてもよい。弾性変形可能なロック挿入部材は、ベースに保持されており、この挿入部材は、ベース内に配置された下端部分と、ベースの外側に延びる部分とを有している。下端部分は、ベースの左側壁と略平行であって、左側壁とともにコードの一部を支持する左アームと、ベースの右側壁と略平行であって、右側壁とともにコードの一部を支持する右アームとを有している。左アーム及び右アームは、外側に配置された歯を有していてもよい。横断部は、左アーム及び右アームの上側部分と連結しており、使用者は単に横断部を上方に引くことにより、左アーム及び右アームを内側に弾性変形させて、コードの締め付け係合を解除することができる。
【０００８】
本発明の実施例において、ロック挿入部材は、一体型のプラスチックループとして形成されている。
【０００９】
ロック装置の実施例において、ロック挿入部材は、下側部分にエンドストッパを有し、上側部分に取り付け部を有しており、ロック挿入部材は、エンドストッパがベースの下側端部と係合する第１の位置と、取り付け部がベースの上側端部と係合する第２の位置との間において、通路内を摺動することができる。
【００１０】
本発明の実施例において、ベースは、該ベースから延び、コードに沿ってコードロックを下側に容易に押すための突起部やボタンを有している。
【００１１】
本発明の実施例において、コードロックは、ベースを、ブーツやブーツライナーの舌やメインシェルといった他の部材に取り付けられるように、フランジ部を有している。
【００１２】
本発明の特徴及び多くの付随する有利な点は、添付した図面を参照しながら以下の詳細な説明を参酌することによって理解されたときに、より容易に十分に認識される。
【発明を実施するための最良の形態】
【００１３】
本発明のコードロック装置の実施例１について、図面を用いながら説明する。ここで、同じ部材については、同一符号を用いている。図１は、ブーツライナー９０に配置されたコードロック装置１００を示し、ブーツライナー９０は、ライナーの継ぎ部分９４の一方の側において対向して配置された複数のレース保持部９２を有する。コードロック装置１００は、締め付けたり、張力を与えたりするように、レース保持部９２に摺動可能に係合するレース又はコード１０２を有する。コード１０２は、ライナー９０の継ぎ部分９４を閉じ位置に向けて付勢する。本実施例において、コード１０２は、コードをレース保持部９２に通して閉じたループを形成した後に、エンドプル１０４とともに連結される両端を有するレースである。エンドプル１０４は、使用者が１つの位置でコード１０２をつまむことができるようにしているため、コード１０２を容易に締め付ける。特に、コード１０２の両端をつかまなくても、使用者は、コード１０２によって形成されたループの上部に単に指を挿入して上方に引くことにより、コード１０２を締め付け、ライナー９０の継ぎ部分９４を概ね閉じることができる。コードの張力がコード１０２の全体の作動長さに沿って比較的均一に伝わるように、コード１０２及びレース保持部９２は、この間で最小の摩擦を持つように選択し、設計することが好ましい。
【００１４】
コード１０２は、左側の最も上部に位置するレース保持部９２とエンドプル１０４との間に配置された左部分１０２Ｌと、右側の最も上部に位置するレース保持部９２とエンドプル１０４との間に配置された右部分１０２Ｒを有している。コードロック１１０は、コードの左部分１０２Ｌ及び右部分１０２Ｒと摺動可能に係合しており、以下に詳細に説明するように、張力をかけられた状態において、コード１０２を開放可能に保持するようになっている。コードロック１１０を係合させるために、使用者は、例えば上方にエンドプル１０４を引いてコード１０２を引張り、コードロック１１０をレース保持部９２側に押してコードロック１１０を所定の位置で離す。
【００１５】
コードロック１１０のうち一部が切断された前面図を示す図２において、コードロックは、ベース１２０と、ベース１２０によって保持されるロック挿入部材１４０とを有している。本実施例において、コードロック１１０は、この縦方向に延びるセンターラインに対して略対称となっている。ベース１２０は、略平坦なバックパネル１２２と、バックパネル１２２から上方に延びる一対の側壁１２４と、外形に沿ったフロントパネル１２６とを有している。バックパネル１２２、側壁１２４及びフロントパネル１２６によって、ベース１２０内を通り、縦方向で収束する通路１２８が構成される。側壁１２４は、内側に配置され、コード１０２と係合するように配置された複数の歯１２３を有する。本実施例における歯１２３は、コードロック１１０の略上部に向かって方向付けられ、又は延びている。これにより、歯は、一方向においてコード１０２と優先的に係合して、コード１０２の引張り状態が開放されるのを阻止し、反対方向においてコードの移動を阻止しないようになっている。
【００１６】
フロントパネル１２６は、この下端部において保持くぼみ１２７（図２において部分的に示す）を有し、保持くぼみ１２７は、以下に説明するように、ロック挿入部材１４０を保持する形状に形成されている。また、図１から最も明らかなように、フロントパネル１２６は、略三日月形状の突起部１２９を有し、突起部１２９は、使用者にとって、コードロック１１０の締め付け係合の間、コード１０２に沿って下側にコードロック１１０を容易に摺動させるための便利な保持部分となる。
【００１７】
図２において、ロック挿入部材１４０は、ベースのフロントパネル１２６における保持くぼみ１２７を係合する大きさのエンドストッパ１４４を含む下端部分１４２を有する。これにより、ロック挿入部材１４０が通路１２８の外部に引っ張られたり、ベース１２０と係合しなかったりするのを阻止する。弾性変形可能な一対のアーム１４６は、ベース１２０の収束する側壁１２４に略対応した角度で、下端部分１４２から上方に向かって延びている。これにより、各フレキシブルアーム１４６は、対応する側壁１２４と略平行となっている。各フレキシブルアーム１４６の下端部分は、外側に配置され、且つコード１０２と係合する複数の歯１４３を有することが好ましい。横断部１５０は、フレキシブルアーム１４６の上側端部と連結されている。本実施例の横断部１５０は、対向して配置され、且つ、フレキシブルアーム１４６の上側端部及び、曲率を持った下面を有するハット形状の指掛け部１５４から外側に延びる肘部１５２を有する。フレキシブルアーム１４６及び横断部１５０によって、略五角形で変形可能なループが構成される。
【００１８】
図３は、コードロック１１０の前面図であって、明確となるようにベースのフロントパネル１２６を取り除いて示している。ここでは、ロック挿入部材１４０の一部である指掛け部１５４に与えられた上方に向かう力（大きな矢印で示す）によって、ベース１２０が固定された状態で、ロック挿入部材１４０が弾性変形している状態を示している。ロック挿入部材１４０の下端部分１４２は、ベース１２０において、エンドストッパ１４４によって保持されている。これにより、ベース１２０が固定されたままの状態で、指掛け部１５４を上方に引くことにより、変形可能なロック挿入部材１４０が変形する。そして、フレキシブルアーム１４６は、矢印９９で示すように内側に向かって回動する。変形していないロック挿入部材を点線で示している。フレキシブルアーム１４６が内側に向かって回動することにより、コードを保持する歯１４３は、ベース１２０の歯１２３から離れる方向に移動する。コード部分１０２Ｌ、１０２Ｒにおけるコードロック１１０の保持を解除し、コード１０２における張力を解除することにより、使用者は、コードロック１１０をコード１０２に沿って上方に摺動させることができる。
【００１９】
図２の断面４―４におけるコードロック１１０の側面図を、図４に示す。ここで、エンドストッパ１４４がフロントパネル１２６の保持くぼみ１２７に当接することで、ロック挿入部材１４０が、上部で引っ張られるのを阻止するとともに、ベース１２０に対して非係合となるのを阻止する。小さな傾斜した先端部１４１が、エンドストッパ１４４の背面に位置するバックパネル１２２から突出して、エンドストッパ１４４をフロントパネル１２６側に、よりしっかりと付勢している。
【００２０】
本実施例において、下端部分１４２、フレキシブルアーム１４６及び横断部１５０を有するロック挿入部材１４０は、一体形成されており、例えば、半剛体のプラスチックで形成されている。コードロック１１０が引っ張られた状態のコード１０２を保持しているとき、コードロック１１０の歯１２３、１４３はコード１０２と係合し、コード１０２における張力は、ロック挿入部材１４０を略下側に向かって引っ張る。このため、コード１０２自体は、ロック挿入部材１４０をベース１２０側に引張り、この結果、コード１０２がロック状態でしっかりと保持される。
【００２１】
図４から最も明らかなように、ロック挿入部材のフレキシブルアーム１４６は、ベース１２０のフロントパネル１２６又はバックパネル１２２に対して当接することにより、ロック挿入部材１４０の下降を制限する位置にある前後の取り付け部１４５を有している。図２及び図３を比較すると、ロック挿入部材１４０におけるエンドストッパ１４４及び取り付け部１４５は、ロック挿入部材１４０が、ベース１２０の限られた領域で縦方向に摺動可能となるように、さらに、コード１０２の解除を容易とするように、配置されている。例えば、使用者がロック挿入部材１４０によって形成された開口部内に指を入れて、指掛け部１５４を引っ張ると、フレキシブルアーム１４６が内側に変形することによって、歯１４３がコード１０２から離れる方向に移動する。ロック挿入部材１４０の全体は、上方（図３において）に移動して、ロック挿入部材の歯１４３とベースの側壁の歯１２３との間の間隔が更に広がり、コード１０２がこれらの間で自由に摺動可能となる。本実施例において、ロック挿入部材１４０における縦方向の遊び（エンドストッパ１４４及び取り付け部１４５のスペースによって許容される縦方向の移動量）は、好ましくは、略２ｍｍから略６ｍｍの間である。
【００２２】
本発明によれば、使用者は、１つの指を用いてコードロック１１０を解除することができる。使用者は、コードロック１１０をつまむ必要がなく、ロック挿入部材１４０内に指を入れて、ベース１２０から離れるように上方に引くだけでよい。これは、小さな装置をつかむことが困難な場合、例えば、スノースポーツを行った後で、使用者の手が冷たく、コードロック１１０上に雪や氷があり、使用者がグローブを装着している場合において、特に有利な点である。さらに、指掛け部を引張り続けることにより、使用者は、コード１０２の張力を解除するだけでなく、コード１０２に沿って上方に遠ざけてコードロック１１０を引っ張ることができる。例えば、使用者がブーツやライナーを脱ぐことができる位置まで引っ張ることができる。また、本発明の単純さは、十分に理解することができる。コードロック１１０は、スプリングや他の小さな構成部材が不要となり、コードロック１１０の構成部材、ベース１２０及びロック挿入部材１４０は、従来のコードロックにおいて開示された小さく細長い突起部が無い、とても単純な部材である。この複雑さの低減は、従来の装置に比べて、コードロック１１０が比較的簡素であり、製造コストが低く、より一層の信頼性を有していることを意味している。
【００２３】
本発明の実施例２であるコードロック装置２００を図５に示す。コードロック装置２００は、コードロック２１０によってそれぞれ摺動可能に保持される左部分１０２Ｌ及び右部分１０２Ｒを有している。コードロック２１０のベース２２０は、フランジ２１２を有している。これによって、コードロック２１０は、ライナー９０の舌９１に対して、例えば、縫合、接着、止め金等を含む従来の手段によって固定される。フランジ２１２は、コードロック２１０のバックパネルと一体的に形成されている。舌引張りループ２１３は、
例えば、舌を前方（例えば、コードを緩める方向）又は／及び上方に引張り易いように、フランジ２１２に適宜組み込むようにしてもよい。変形可能なロック挿入部材１４０は、ベース２２０内に摺動可能に配置されている。本実施例におけるコードロック２１０、ベース２２０及びロック挿入部材１４０の詳細な構造は、上述したコードロック１１０と概ね同じである。コードロック２１０の一般的な特徴については、明確及び簡潔とするために、ここでは繰り返して説明しない。
【００２４】
ベース２２０を舌９１に装着することによって、使用者が一つの手でエンドプル１０４を単に引っ張るだけでコード１０２を締め付けることができ、コードロック２１０がコード１０２を引張り状態で保持することは、当業者にとって明らかである。上述したように、コード１０２の張力を解除するためには、使用者は、例えば、ロック挿入部材１４０内に単に指を挿入し、引っ張ることにより、変形可能なロック挿入部材１４０を変形させるとともに、縦方向に摺動させ、保持されたコード部分１０２Ｒ、１０２Ｌの係合を解除する。使用者は、同時に、舌引張りループ２１３を持って、前方に引っ張ることにより、舌９１が継ぎ開口部９４を介して前方に移動して、レース１０２が緩む。
【００２５】
本発明として、発明者によって言及された実施例に関して説明したが、本発明から外れない限り、開示した実施例に対して多くの変形を行うことができるのは明らかである。例えば、コードロック装置１００はブーツライナー９０に関して説明したが、コードロック装置は、他のスポーツブーツ、道具バック等といった他の多くの用途で用いることができる。同様に、ロック挿入部材１４０の具体的な形状については、同様の結果が得られるように変形することができる。ここで、指掛け部を上方に引っ張ることにより、ロック挿入部材がコードから離れて移動するように、ロック挿入部材を撓ませたり、変形させたりすることができる。歯１２３、１４３は、コード１０２と係合するものとして説明したが、コード１０２を係合するための他の機構が代替的に使用されることは明らかである。例えば、ベース１２０及びロック挿入部材１４０が、適切に配置された起伏のある表面を有していたり、滑らない材質で覆ったりすることができる。又は、構成部材間の圧縮力によって、コードを保持することもできる。
【００２６】
本発明の好ましい実施例について説明し、述べたが、本発明の精神及び範囲から逸脱しない限りにおいて、様々な変更を行うことができる。
【図面の簡単な説明】
【００２７】
【図１】点線で示すブーツライナーに装着された本発明のコードロック装置の実施例を示す前面図である。
【図２】図１に示すコードロック装置の一部分を切断した前面図である。
【図３】図１に示すコードロック装置の前面図であって、説明のためにベースのフロントパネルが省略され、コードを開放するためのコードロックの操作を示す図である。
【図４】図１に示すコードロックの側断面図である。
【図５】点線で示すブーツライナーに装着された本発明のコードロック装置の実施例２を示す前面図である。
【図１】
2007500835.tif 000003
【図２】
2007500835.tif 000004
【図３】
2007500835.tif 000005
【図４】
2007500835.tif 000006
【図５】
2007500835.tif 000007
【手続補正書】
【提出日】平成17年3月8日(2005.3.8)
【手続補正１】
【補正対象書類名】特許請求の範囲
【補正対象項目名】全文
【補正方法】変更
【補正の内容】
【特許請求の範囲】
【請求項１】
左右の側面を有して収束する通路を構成するベースと、
ベースの通路内で固定保持される下端部分と、前記下端部分に装着される下端部及び、前記通路の外側に延びる上端部を有する弾性変形可能な左アームであって、前記通路の左側面と略平行である左アームと、前記下端部分に装着される下端部及び、前記通路の外側に延びる上端部を有する弾性変形可能な右アームであって、前記通路の右側面と略平行である右アームと、前記左アームの上端部及び前記右アームの上端部を連結し、前記下端部分が前記ベースの通路内で保持されているときに、前記通路の外側に位置する変形可能な横断部分とを有するロック挿入部材と、
前記通路の左側面及び前記ロック挿入部材の左アーム間に配置された第１の部分と、前記通路の右側面及び前記ロック挿入部材の右アーム間に配置された第２の部分を有するコードとを備え、
前記左アーム、前記右アーム及び前記横断部分が、使用者の指を受け入れるループを形成し、
ロック挿入部材の横断部分をベースに対して上方に引っ張ることにより、ロック挿入部材の左右のアームが内側に弾性変形することを特徴とするコードロック装置。
【請求項２】
前記ロック挿入部材の前記左アーム及び前記右アームは、外側に向かって配置された歯を有していることを特徴とする請求項１に記載のコードロック装置。
【請求項３】
前記通路の前記左側面及び前記右側面は、内側に向かって配置された歯を有していることを特徴とする請求項１に記載のコードロック装置。
【請求項４】
前記ロック挿入部材は、一体的に形成されていることを特徴とする請求項１に記載のコードロック装置。
【請求項５】
前記ロック挿入部材がプラスチックで形成されていることを特徴とする請求項１に記載のコードロック装置。
【請求項６】
前記ロック挿入部材は、
前記下側部分に配置されたエンドストップと、
前記左アーム及び前記右アームのうち少なくとも一方の上端部に配置された取り付け部とを有しており、
前記ロック挿入部材は、前記エンドストップが前記ベースと係合する第１の位置と、前記取り付け部が前記ベースと係合する第２の位置との間で移動可能であることを特徴とする請求項１に記載のコードロック装置。
【請求項７】
前記第１及び第２の位置間の距離は、略２ｍｍから略６ｍｍの範囲内であることを特徴とする請求項６に記載のコードロック装置。
【請求項８】
前記ベースは、該ベースから前方に延び、該ベースを下側に押し下げるのを容易にする突起部を有することを特徴とする請求項１に記載のコードロック装置。
【請求項９】
前記ベースは、取り付けフランジを有することを特徴とする請求項１に記載のコードロック装置。
【請求項１０】
前記取り付けフランジに固定される舌引張りループを有することを特徴とする請求項９に記載のコードロック装置。
【請求項１１】
前記横断部分は、対向して配置され、外側に向かって延びる肘部を有することを特徴とする請求項１に記載のコードロック装置。
【請求項１２】
左側面及び右側面を有して収束する通路を構成するベースと、
前記ベースの通路内に配置されたテーパ部分と、ベースの外側に向かって延びる上側部分と、左通路を構成する前記ベースの通路の左側面と略平行に配置された左アームと、
右通路を構成する前記ベースの通路の右側面と略平行に配置された右アームと、前記左アームの端部及び前記右アームの端部を連結し、前記通路の外側に配置された上側横断部分とを有する弾性変形可能なループを構成し、前記ベースに係合する保持部分を有するロック挿入部材と、
前記右通路内に配置された右部分と、前記左通路内に配置された左部分とを有するコードとを備え、
前記左通路は、前記ロック挿入部材が弾性変形したときに、前記コードの左部分と係合する大きさで形成されていることを特徴とするコードロック装置。
【請求項１３】
前記ループの左アーム及び右アームは、外側に向かって配置された歯を有することを特徴とする請求項１２に記載のコードロック装置。
【請求項１４】
前記左通路及び前記右通路は、内側に向かって配置された歯を有することを特徴とする請求項１３に記載のコードロック装置。
【請求項１５】
前記ロック挿入部材は、一体的に形成されていることを特徴とする請求項１２に記載のコードロック装置。
【請求項１６】
前記ロック挿入部材がプラスチックで形成されていることを特徴とする請求項１５に記載のコードロック装置。
【請求項１７】
前記ロック挿入部材の前記保持部分が、前記ロープの底部に配置されたエンドストップを有するとともに、前記ロック挿入部材が、前記ループの上側部分に配置された取り付け部を構成しており、
前記ロック挿入部材は、前記エンドストップが前記ベースと係合する第１の位置と、前記取り付け部が前記ベースと係合する第２の位置との間で移動可能であることを特徴とする請求項１２に記載のコードロック装置。
【請求項１８】
前記第１及び第２の位置間の距離は、略２ｍｍから略６ｍｍの範囲内であることを特徴とする請求項１７に記載のコードロック装置。
【請求項１９】
前記ベースは、該ベースから前方に延び、該ベースを下側に押し込むことを容易とする突起部を有することを特徴とする請求項１２に記載のコードロック装置。
【請求項２０】
前記ベースは、取り付けフランジを有することを特徴とする請求項１２に記載のコードロック装置。
【請求項２１】
前記ベースは、舌引張りループを有することを特徴とする請求項２０に記載のコードロック装置。
【請求項２２】
前記ループは、対向して配置され、外側に向かって延びる肘部を構成するハット形状の上側部分を有することを特徴とする請求項１２に記載のコードロック装置。
【国際調査報告】
2007500835.tif 000008
2007500835.tif 000009